(57)【要約】【課題】ラベル用の樹脂フィルムの使用量を削減可能であるとともに、一般消費者が、推奨消費量に沿った適切な飲料の消費を行うことが容易となる飲料容器を提供すること。【解決手段】本発明の飲料容器１は、合成樹脂製の透明なボトル本体２と該ボトル本体を被覆する樹脂フィルム製のラベル４とを有しており、ボトル本体２は、周囲が前記ラベルに被覆された被覆部２１と、被覆部２１より下方に位置し、周囲がラベル４に被覆されていない露出部２２とを有しており、飲料容器１に、飲料の消費量又は残存量を知る目安となる複数の目印５１，５３が設けられており、露出部２２に、第１の目印５１が立体形状に形成され、被覆部２１を被覆するラベル４に第２の目印５３が設けられている。【選択図】図１
2019189341.tif 000002
【特許請求の範囲】
【請求項１】
合成樹脂製の透明なボトル本体と該ボトル本体を被覆する樹脂フィルム製のラベルとを有する飲料容器であって、
前記ボトル本体は、周囲が前記ラベルに被覆された被覆部と、該被覆部より下方に位置し、周囲が前記ラベルに被覆されていない露出部とを有しており、
前記飲料容器に、飲料の消費量又は残存量を知る目安となる複数の目印が設けられており、
前記露出部に、第１の目印が立体形状に形成され、前記被覆部を被覆する前記ラベルに、第２の目印が設けられている、飲料容器。
【請求項２】
前記複数の目印は、飲料の消費量を知る目安となる目印であり、正立状態とした飲料容器において、第１の目印に液面を合わせたときの飲料の消費量が、第２の目印に液面を合わせたときの飲料の消費量の整数倍となっている、請求項１に記載の飲料容器。
【請求項３】
特定保健用食品用の飲料容器であり、
第２の目印によって示される飲料の消費量が、該飲料の１日当たりの推奨摂取量である、請求項１又は２に記載の飲料容器。
【請求項４】
前記ボトル本体は、周面に、該ボトル本体の内部側に向かって窪んだ凹部を有しており、第１の目印が該凹部内に形成されている、請求項１〜３の何れか１項に記載の飲料容器。
【請求項５】
第１の目印は、前記凹部内に、前記ボトル本体の内部側に更に窪んだ小凹部として形成されている、請求項４に記載の飲料容器。
【請求項６】
第１の目印は、幅広部と、該幅広部から側方に延出し、前記飲料容器の高さ方向に沿う長さが前記幅広部より短い側方延出部とを有する、請求項１〜５の何れか１項に記載の飲料容器。
【請求項７】
請求項１〜６の何れか１項に記載の飲料容器に飲料が充填されている容器入り飲料。
【発明の詳細な説明】
【技術分野】
【０００１】
本発明は、飲料容器に関する。
【背景技術】
【０００２】
各種飲料の容器として、ペットボトルと呼ばれるポリエチレンテレフタレート製のボトル形状の容器が知られている。このペットボトルは、使用後に溶解して再びボトル等に成形されて再利用するリサイクルシステムが確立され、省資源等の点で優れている。
また、飲料容器に、飲料の消費量又は残存量を示す目盛りを設けることも知られている。例えば、特許文献１には、ポリエチレンテレフタレート製のペットボトル本体と、該ペットボトル本体を被覆する、商品名等が印字されたシュリンクフィルムとを有するペットボトルのシュリンクフィルムに目盛りを印刷により設けることが記載されている。
また引用文献２には、ペットボトル本体に、内部の飲料をどれ位使ったか、又はどれ位残っているかがわかる軽量目盛りを付けた、軽量メモリつきペットボトルが記載されている。
【先行技術文献】
【特許文献】
【０００３】
【特許文献１】実用新案登録第３１５０５２４号公報
【特許文献２】特開２００５−５９９４９号公報
【発明の概要】
【発明が解決しようとする課題】
【０００４】
ところで、比較的容量の大きい飲料容器は、内部の飲料を複数回に分けて飲むことも多く、また特定保健用食品のように１日当たり又は１回当たりに飲む量として好ましい量の大まかな目安が設定されているものもある。そのような飲料が充填される飲料容器においては、高さ方向の広い範囲にわたって目盛りを設けることが望まれるが、近年、ラベル用の資材の節約等の観点から、ハーフラベルとも呼ばれる高さ方向の長さを短くしたラベルも用いられるようになっており、高さ方向の長さを短くしたラベルを用いると、ラベルに被覆されていない部分に目盛りを設けることが難しくなる。
【０００５】
本発明は、前述した従来技術が有する欠点を解消し得る、飲料容器を提供することを目的とする。
【課題を解決するための手段】
【０００６】
本発明は、合成樹脂製の透明なボトル本体と該ボトル本体を被覆する樹脂フィルム製のラベルとを有する飲料容器であって、前記ボトル本体は、周囲が前記ラベルに被覆された被覆部と、該被覆部より下方に位置し、周囲が前記ラベルに被覆されていない露出部とを有しており、前記飲料容器に、飲料の消費量又は残存量を知る目安となる複数の目印が設けられており、前記露出部に、第１の目印が立体形状に形成され、前記被覆部を被覆する前記ラベルに、第２の目印が設けられている、飲料容器を提供するものである。
また本発明は、本発明の飲料容器に飲料が充填されている容器入り飲料を提供するものである。
【発明の効果】
【０００７】
本発明の飲料容器及び容器入り飲料によれば、ラベル用の樹脂フィルムの使用量を削減可能であるとともに、一般消費者が、推奨消費量に沿った適切な飲料の消費を行うことが容易となる。
【図面の簡単な説明】
【０００８】
【図１】図１は、本発明の飲料容器の一実施形態を示す斜視図である。
【図２】図２は、図１に示す飲料容器の正面図である。
【図３】図３は、図１に示す飲料容器のボトル本体を示す斜視図である。
【図４】図４は、図２に示す飲料容器のボトル本体のＩＶ−ＩＶ線に沿う断面図である。
【図５】図５は、本発明の飲料容器の他の実施形態を示す正面図である。
【図６】図６は、第１の目印及び第２の目印の説明記載の一例を示す説明図である。
【発明を実施するための形態】
【０００９】
以下本発明を、その好ましい実施形態に基づき図面を参照しながら説明する。
図１及び図２には、本発明の飲料容器の一実施形態である飲料容器１が示されている。図１に示す飲料容器１は、図３に示す合成樹脂製の透明なボトル本体２と該ボトル本体２を被覆する樹脂フィルム製のラベル４とを有する。
ボトル本体２は、図３に示すように、口首部２３と胴部２４と底部２７とを有している。口首部２３は、上端に注出口２３ａを有し、注出口２３ａを封止するためのキャップ（図示せず）を螺合させるための螺条２３ｂを周囲に有する。胴部２４は、角筒状の本体部２５と、該本体部２５から口首部２３に向かって水平断面の断面積が漸減する先すぼまり形状の肩部２６とを有している。
【００１０】
胴部２４、より詳細には角筒状の本体部２５は、第１方向Ｘにおいて内面どうしが相対向している一対の第１壁２８と、第１方向Ｘと直交する第２方向Ｙにおいて内面どうしが相対向している一対の第２壁２９とを有している。また、周方向において隣り合う第１壁２８と第２壁２９との間にコーナー壁３０を有しており、コーナー壁３０は、水平断面形状が直線状の平面状の形態を有している。コーナー壁３０は、一部のコーナー壁又は全部のコーナー壁が、平面状の形態に代えて、水平断面形状が円弧状の凸曲面状の形態を有していても良い。
【００１１】
一対の第１壁２８それぞれには、図３及び図４に示すように、ボトル本体２の内部方向に向かって窪んだ凹部３が形成されている。より詳しくは、一対の第１壁２８それぞれに、凹部３として、高さ方向に離間した状態に２つの凹部３１，３５が形成されている。２つの凹部３１，３５のうち、飲料容器の高さ方向Ｚの上方に位置する凹部を上部凹部３１、高さ方向Ｚの下方に位置する凹部を下部凹部３５ともいう。上部凹部３１及び下部凹部３５等の凹部３は、飲料容器を手で把持する際の把持性を高める観点、及び高温で充填した飲料が冷えること等に伴う内容物の容積減少によって容器の不特定の箇所が凹むことを防止する観点の一方又は双方の観点から設けられている。
【００１２】
上部凹部３１及び下部凹部３５のそれぞれは、周囲を平坦面３２に囲まれている。凹部３が形成されている第１壁２８又は第２壁２９をその法線方向から視たときに、上部凹部３１及び下部凹部３５は、それぞれ、ボトル本体の高さ方向Ｚに沿う１対の側縁部ｓ，ｓと、該高さ方向Ｚと交差する方向に延び一対の側縁部ｓ，ｓの上端側どうし又は下端側どうしを結ぶ上縁部ａ及び下縁部ｂとを有しており、これらに囲まれた形状を有している。
本実施形態の飲料容器１においては、一対の第２壁２９，２９（図３に一方のみ図示）それぞれにも、第１壁２８の上部凹部３１及び下部凹部３５と同様の形態を有する上部凹部３１及び下部凹部３５が形成されており、第２壁２９の上部凹部３１及び下部凹部３５も、それぞれ周囲を平坦面３２で囲まれている。
【００１３】
第１壁及び第２壁に形成された凹部３、上部凹部３１及び下部凹部３５、特に後述する第１の目印５１が形成された凹部３は、最外面から凹部３の底部までの深さｄ（図４参照）が、好ましくは１．０ｍｍ以上、より好ましくは１．５ｍｍ以上であり、また好ましくは６．０ｍｍ以下、より好ましくは５．０ｍｍ以下であり、また好ましくは１．０ｍｍ以上６．０ｍｍ以下、より好ましくは１．５ｍｍ以上５．０ｍｍ以下である。
【００１４】
ボトル本体２は、合成樹脂製であり透明である。ボトル本体を形成する合成樹脂としては、ポリエチレンテレフタレート等のポリエステル、ポリプロピレン等のポリオレフィン、ナイロン等のポリアミド等が挙げられ、これらに中でも、透明性が高く、リサイクルシステムが確立されているポリエチレンテレフタレートであることが好ましい。透明は、有色透明であっても良いが、リサイクルの点や液面の見やすさの点から無色透明であることが好ましい。
【００１５】
本実施形態の飲料容器１におけるボトル本体２は、図１及び図２に示すように、周囲がラベル４に被覆された被覆部２１と、該被覆部２１より下方に位置し、周囲がラベル４に被覆されていない露出部２２とを有している。ボトル本体２の被覆部２１は、ボトル本体２の高さ方向Ｚにおいて、周囲を樹脂フィルム製のラベル４で被覆されている範囲であり、被覆部２１は、ボトル本体２の周方向の全周に亘ってラベル４により被覆されている。
ペットボトルのラベル４としては、従来、ボトル本体２の口首部２３の直下又は肩部２６から底部２７近傍までを被覆するセミフルラベルとも呼ばれるラベルが汎用されている。しかし、ラベル４に使用する資材である樹脂フィルムの使用量を削減して、資材の節約やラベルの引き剥がしやすさを向上させる等の観点から、本実施形態の飲料容器１においては、図２に示すように、ハーフラベル又はセミハーフラベルと呼ばれるラベルを採用し、ボトル本体２の高さ方向Ｚにおける、ラベル４で被覆されている被覆部２１の範囲を狭くする一方、被覆部２１より下方に位置する、ラベル４により被覆されていない露出部２２の範囲を広くしてある。
【００１６】
そして、その露出部２２に第１の目印５１が形成され、被覆部２１を被覆するラベル４に第２の目印５３が設けられている。
第１の目印５１及び第２の目印５３は、飲料の消費量又は残存量を知る目安となる目印、より具体的には、飲料の消費量を知る目安となる目印である。例えば、内部に収容される飲料が、容積１０５０ｍＬの特定保健用食品で、その１日当たりの推奨摂取量が３５０ｍＬである場合、内部に残存する飲料の液面の位置を第２の目印５３の位置に合わせたときに、残存する液量が、飲料入り商品内の飲料の当初の充填量から３５０ｍＬ減らした量となり、内部に残存する飲料の液面の位置が第１の目印５１の位置に合わせたときに、残存する液量が、飲料入り商品内の飲料の当初の充填量から７００ｍＬ減らした量となり、内部に残存する飲料がなくなったときに、残存する液量が、飲料入り商品内の飲料の当初の充填量から１０５０ｍＬ減らした量となるように、第１の目印５１及び第２の目印５３の位置が設定されている。これにより、一般消費者は、１日目は、残存する液体の液面が第２の目印５３の位置となるように消費し、２日目は、残存する液体の液面が第１の目印５１の位置となるように消費し、３日目は、全量使い切るように飲料を飲んで消費することで、１〜３日目のいずれの日においても、推奨摂取量に沿った量の飲料を摂取することができる。
【００１７】
本実施形態の飲料容器における第１の目印５１及び第２の目印５３は、飲料の消費量を知る目安となる目印であり、正立状態とした飲料容器（図２参照）において、第１の目印５１に液面を合わせたときの飲料の消費量（７００ｍＬ）が、第２の目印５３に液面を合わせたときの飲料の消費量の整数倍、より具体的には２倍（３５０ｍＬ）となっている。
【００１８】
なお、図２に示す飲料容器は、第１の目印５１及び第２の目印５３を各一つ有するが、それに代えて、第１の目印５１を複数設けても良く、第２の目印５３を複数設けても良い。例えば、成人の１日当たりの推奨消費量がＸｍＬである場合、図５に示すように、ボトル本体２の被覆部２１に、第２の目印５３として、当初の充填量から減った量がＸｍＬであることを示す目印５３ａと、当初の充填量から減った量がＸｍＬの２倍量であることを示す目印５３ｂとを設け、露出部２２に、第１の目印５１として、当初の充填量から減った量がＸｍＬの３倍量であることを示す目印５１ａと、当初の充填量から減った量がＸｍＬの４倍量であることを示す目印５１ｂとを設けることもできる。なお、一日当たりの推奨消費量に代えて、１回当たりの消費量や１週間当たりの推奨消費量に対応させて第１及び第２の目印５１，５３を設けても良い。またラベル４に、推奨消費量という用語に代えて、摂取目安量といった他の言葉で、推奨される消費量が示されていても良い。
【００１９】
被覆部２１を被覆するラベル４は、合成樹脂製の樹脂フィルムからなり、熱により収縮したシュリンクフィルムであることが好ましい。合成樹脂製のフィルムからなるラベル４は、例えば、一端をボトル本体２に粘着剤や接着剤により固定した後、残りの部分を周囲に巻き付け、他端を前記一端上に粘着剤や接着剤により固定することによって、ボトル本体２の周面に巻き付いた状態に固定することができる。また、ボトル本体２に、筒状のシュリンクフィルムを注出口２３ａ又は底部２７側から被せた後、シュリンクフィルムを熱収縮させることによって、ボトル本体２の周面に固定しても良く、また、シュリンクフィルムを、ボトル本体２の周面に巻き付けた後、シュリンクフィルムを熱収縮させることによって、ボトル本体２の周面に固定しても良い。
ラベルに用いる樹脂フィルムの構成樹脂としては、ポリエチレンテレフタレート等のポリエステル、ポリプロピレン等のポリオレフィン、ナイロン等のポリアミド、ポリスチレン等のスチロール樹脂等が挙げられる。また、従来のペットボトルに汎用されているシュリンクフィルムと同様のものを特に制限なく用いることができる。
【００２０】
本実施形態の飲料容器によれば、図２に示すように、ボトル本体２のラベル４で被覆されている被覆部２１の範囲を狭くする一方、被覆部２１より下方に位置する露出部２２の範囲を広くするとともに、飲料の消費量を知る目安となる目印５（第１の目印５１と第２の目印５３）を、被覆部と露出部とに分けて設けることで、ラベル用の資材の使用量を削減可能であるとともに、一般消費者が、１日当たりの推奨消費量に沿った飲料の消費を行うことを容易としたり、消費者のそのよう態様の消費をサポートすることができる。
しかも、第１の目印５１を、ボトル本体２の露出部２２に立体形状に形成することによって、ボトル本体２に印刷する場合等に比して飲料容器の製造工程を簡略化でき製造コスト等を抑制することができるとともに、ペットボトルのようにボトル本体をリサイクルする場合も印刷がないのでリサイクルに適している。第１の目印５１を、露出部２２に立体形状に形成するには、例えば、ボトル本体の製造に使用する金型に、第１の目印５１の立体形状に対応する凸部や凹部を形成しておき、ブロー成形、射出成形等の各種公知の方法による成形を行う。その場合、第１の目印５１を、ボトル本体２の成形と同時に形成できるので、製造工程の簡略化等の観点から好ましい。
【００２１】
一般消費者による適切な量の消費をサポートする観点から、ラベル４には、商品名に加えて、飲料の１日又は１回当たりの推奨消費量を表示するとともに、当該ラベル４に、第２の目印５３について、残存する飲料の液面の位置をその目印の位置に合わせたときに、消費した液量が当該推奨消費量となることを認識させ得る第２の目印の説明表示を設けるとともに、第１の目印５１について、残存する飲料の液面の位置をその目印の位置に合わせたときに、消費した液量が当該推奨消費量の整数倍であることを認識させる第１の目印の説明表示を設けることが好ましい。これらの表示は、ラベル４に印刷して設けることが好ましいが、別体のラベル等を更に貼付することで設けてもよい。本実施形態では、第２の目印５３は、これらの説明表示とともに、ラベル４に印刷により設けられている。第１の目印５１の意味を理解させる説明表示としては、図６（ａ）に示す表示が例示でき、第２の目印５３の意味を理解させる説明表示としては、図６（ｂ）に示す表示が例示できるが、それぞれ、例示したものに限られず、文字及び記号を含む表示の他、文字のみや記号のみの表示であっても良い。
【００２２】
ラベル４に使用する樹脂フィルムの使用量の削減や、被覆部２１と露出部２２の広さのバランスを図り第１の目印５１及び第２の目印５３をともに見やすくする観点、第１の目印５１及び第２の目印５３の意味を理解させる表示を行うスペースを確保する観点等から、飲料容器１の高さ方向Ｚにおける、底部２７の下端２７ｂからラベル４の下端４ｂまでの距離ｈ２は、底部２７の下端２７ｂからラベル４の上端４ａまでの距離ｈ３に対する比（ｈ２／ｈ３）が、好ましくは２０％以上、より好ましくは３０％以上であり、また好ましくは７０％以下、より好ましくは６０％以下であり、また好ましくは２０％以上７０％以下、より好ましくは３０％以上６０％以下である。
【００２３】
また本実施形態のボトル本体２は、高さ方向Ｚの中央部付近に、周方向の全周に亘る中央溝部３９を有しており、上部凹部３１は中央溝部３９より上方、下部凹部３５は中央溝部３９より下方に形成されている。また、ラベル４の上端４ａは、肩部２６上に位置し、下端４ｂは、中央溝部３９内に該溝部の内面に沿った状態に配されている。ラベル４の上端４ａを、肩部２６に配し、ラベル４の下端４ｂを中央溝部３９内に配することで、小型化してもラベル４の位置ずれが生じにくくなる。
【００２４】
また本実施形態の飲料容器１においては、第１の目印５１として、第１壁２８の法線方向から視た形状が、図２に示す形状の小凹部が設けられており、該小凹部は、図２に示すように、第１壁２８の下部凹部３５内に、ボトル本体２の内部側に更に窪んだ小凹部として形成されている。第１の目印５１を、ボトル本体２の凹部３内に、ボトル本体２の最外面から突出しない状態に設けることで、ボトル本体２に、ラベル用の樹脂フィルムを巻き付けたり、筒状のラベルを外挿する際に、第１の目印５１が、樹脂フィルムや樹脂フィルムを装着する装置に接触することが防止される。また、このボトル本体２を、第１の目印５１を利用しないセミフルラベルを有する飲料容器に共用することも容易となる。また、複数の飲料容器１やボトル本体２を纏めて搬送したり保管したりする際に、第１の目印５１が他の飲料容器等と接触して損傷することも防止することができる。第１の目印５１を、小凹部ではなく、ボトル本体２の最外面から突出しない小凸部として、下部凹部３５内に設けても同様の効果が奏される。
【００２５】
第１の目印５１として機能する小凹部は、下部凹部３５内に水平方向に延びるように形成される凸リブ３６以外の谷部分３７に、該谷部分３７の形状とは異なる形状を有するものとして形成されている。これにより、第１の目印５１を、谷部分３７と明瞭に区別して視認することができる。凸リブ３６は、高温で充填した飲料が冷えること等に伴う内容物の容積減少によって容器の不特定の箇所が凹むことを防止することを目的として設けられている。
【００２６】
また本実施形態の飲料容器１における第１の目印５１は、図２に示すように、幅広部ｅと、該幅広部ｅから側方に延出し、飲料容器１の高さ方向Ｚに沿う長さＬｆが幅広部ｅより短い側方延出部ｆとを有している。
幅広部ｅを有することで第１の目印５１が視認しやすく、また側方延出部ｆを有することで、第１の目印５１にボトル本体２の内部の液体の液面を合わせることも容易となる。斯かる効果の一層の向上の観点から、幅広部ｅは、飲料容器１の高さ方向Ｚに沿う長さＬｅが、好ましくは１.０ｍｍ以上、より好ましくは２．０ｍｍ以上であり、また好ましくは１０ｍｍ以下、より好ましくは８．０ｍｍ以下であり、また好ましくは１．０ｍｍ以上１０ｍｍ以下、より好ましくは２．０ｍｍ以上８．０ｍｍ以下である。同様の観点から、側方延出部ｆは、飲料容器１の高さ方向Ｚに沿う長さＬｆが、幅広部Ｌｅの５０％以下、より好ましくは３０％以下であり、また好ましくは０．５ｍｍ以上５．０ｍｍ以下、より好ましくは１．０ｍｍ以上３．０ｍｍ以下である。
なお、幅広部ｅは、図２に示すような、ひし形の形状の他、円形、ハート形、楕円形等の任意の形状とすることができ、また側方延出部ｆは、幅広部ｅの両側に設けるのに代えて片側のみに設けても良い。また第１の目印５１は、飲料容器１の高さ方向Ｚに沿う長さＬｅが一定の横方向に延びる線状のものであっても良い。
【００２７】
また本実施形態の飲料容器１における第２の目印５３は、ラベル４に部分的に設けた透明部４１に設けてあり、ラベル４の透明部４１及び透明なボトル本体２を通して飲料容器１の外部から液体の液面の位置を確認しながら、該液面の位置を第２の目印５３の位置に合わせることが可能である。第２の目印５３は、飲料容器１が正立状態とした際に鉛直方向に直交する方向（飲料容器１の高さ方向Ｚに直交する方向）に延びて設けられている。また、本実施形態の飲料容器１においては、ラベル４の透明部４１は、コーナー壁３０と重なる部位に、飲料容器１の高さ方向Ｚに延びて形成されており、第２の目印５３が表示された透明部４１は、第１の目印５１を有する第１壁２８と隣り合う一つのコーナー壁３０と重なる部分のみに形成されている。ラベル４は、図示しないが、コーナー壁３０と重なる透明部４１を有しない他のコーナー部と重なる部分に、互いに平行な２本のミシン目が高さ方向Ｚに沿って形成されており、そのミシン目間の帯状部分をミシン目で切断して取り除くことで、非筒状の展開状態となり、ボトル本体２からの分離が容易となる。
【００２８】
本発明の容器入り飲料は、本発明の飲料容器の内部に飲料が充填されているものであり、容器入り飲料におけるボトル本体２の注出口２３ａは、口首部２３に螺着されたキャップ（図示せず）で封止されている。飲料を充填するタイミングは、ボトル本体２の周囲にラベル４を固定する前でも後でも良い。
また、第１の目印５１及び第２の目印５３として、それらの目印に液面に合わせることにより、飲料の消費量に代えて飲料の残存量を知る目安となる目印を設けても良い。残存量が一定量づつ減少するように消費すれば、一定期間（例えば１日）又は一定回数毎（例えば１回毎）の消費量を把握することもできる。また、第１の目印及び第２の目印として、飲料容器を倒立させたときの液面に合わせることにより、飲料の消費量又は残存量を知ることのできるものを設けることもできる。
飲料容器内の容量又は飲料容器に充填する飲料の液量は、特に制限はないが、例えば、５０ｍＬ以上２０００ｍＬ以下である。
飲料容器に充填する飲料は、各種公知の飲料が挙げられ、例えば、ミネラルウォーター等の水、緑茶、紅茶、ウーロン茶等の茶類、炭酸飲料、果汁飲料、乳酸菌飲料、野菜飲料等が挙げられるが、これらに限定されるものではない。本発明の飲料容器や容器入り飲料は、特定保健用食品として認可された飲料用に適している。
【００２９】
以上、本発明をその好ましい実施形態にもとづき説明したが、本発明は、上記実施形態に制限されず、適宜変更可能である。
例えば、第２の目印５３を表示する透明部４１は、上述した実施形態の飲料容器においては、第１の目印５１を有する第１壁２８に隣接する一つのコーナー壁と重なる部分のみに形成されていたが、第２の目印５３を表示する透明部４１を、４つあるコーナー壁のうちの複数又は全部のコーナー壁と重なる部位に設けても良い。
【００３０】
また上部凹部３１及び下部凹部３５、一対の第１壁２８及び一対の第２壁２９のいずれか一方のみに形成されていても良く、また、第１壁２８又は第２壁２９は、それぞれ凹部を一つのみ有するものでも良く、例えば上部凹部３１及び下部凹部３５のうちの下部凹部３５のみを有するものでも良く、また上部凹部３１と下部凹部３５とが一体化された連続する一つの凹部のみが形成されていても良い。また、ボトル本体２に、第２の目印５３が形成された一つの凹部のみが設けられていても良い。また、ボトル本体２は、中央溝部３９を有しないものであっても良い。
また各筒状の本体部は、角部にコーナー壁を有する水平断面形状が正方形状のものであっても良いし、角部にコーナー壁を有する水平断面形状が長方形状のものであっても良い。長方形状の場合、第１の目印５１を有する第１壁２８の第２方向Ｙに沿う長さが、第２壁２９の第１方向Ｘに沿う長さより長いことが、第１の目印５１の視認性の観点から好ましい。
【符号の説明】
【００３１】
１  飲料容器
２  ボトル本体
２１  被覆部
２２  露出部
２３  口首部
２４  胴部
２５  本体部
２６  肩部
２７  底部
２８  第１壁
２９  第２壁
３０  コーナー壁
３  凹部
３１  上部凹部
３５  下部凹部
４  ラベル
４１  透明部
５  目印
５１  第１の目印
５３  第２の目印
【図１】
2019189341.tif 000003
【図２】
2019189341.tif 000004
【図３】
2019189341.tif 000005
【図４】
2019189341.tif 000006
【図５】
2019189341.tif 000007
【図６】
2019189341.tif 000008